(57)【要約】【課題】作業性の低下を招くことなく、締付工具の小型化や軽量化を図る。【解決手段】締付工具１０と、当該締付工具１０とは別に設けられ、締付工具１０と有線又は無線により接続された表示機器２０とを備え、締付工具１０が、締付トルクを示すトルクデータを送信するデータ送信部１３を有し、表示機器２０が、データ送信部１３から送信されたトルクデータを受信するデータ受信部２２と、データ受信部２２が受信したトルクデータの示す締付トルクをディスプレイＤに表示する表示制御部２３とを有し、表示制御部２３が、ディスプレイＤに表示された締付トルクとは別領域Ｓ３の表示態様を、締付トルクに応じて、締付途中の作業者に知覚可能に変化させるようにした。【選択図】図３
2020049585.tif 000002
【特許請求の範囲】
【請求項１】
締付工具と、当該締付工具とは別に設けられ、前記締付工具と有線又は無線により接続された表示機器とを備え、
前記締付工具が、
締付トルクを示すトルクデータを送信するデータ送信部を有し、
前記表示機器が、
前記データ送信部から送信されたトルクデータを受信するデータ受信部と、
前記データ受信部が受信したトルクデータの示す締付トルクを画面に表示する表示制御部とを有し、
前記表示制御部が、前記画面に表示された前記締付トルクとは別領域の表示態様を、前記締付トルクに応じて、締付途中の作業者に知覚可能に変化させることを特徴とする工具システム。
【請求項２】
前記表示制御部が、前記画面の背景全体を変化させることを特徴とする請求項１記載の工具システム。
【請求項３】
前記表示制御部が、前記画面の背景色を変化させることを特徴とする請求項１又は２記載の工具システム。
【請求項４】
前記表示制御部が、前記別領域の表示態様を前記締付トルクに応じて段階的に変化させることを特徴とする請求項１乃至３のうち何れか一項に記載の工具システム。
【請求項５】
前記表示制御部が、前記締付トルクが予め設定された設定トルクを超えた場合に、前記ディスプレイに表示された前記締付トルクの色を反転させることを特徴とする請求項１乃至４のうち何れか一項に記載の工具システム。
【請求項６】
締付工具とは別に設けられ、前記締付工具と有線又は無線により接続される表示機器に用いられるプログラムであって、
前記締付工具から送信された締付トルクを示すトルクデータを受信するデータ受信部と、
前記データ受信部が受信したトルクデータの示す締付トルクを画面に表示する表示制御部としての機能を前記表示機器に発揮させるものであり、
前記表示制御部が、前記画面に表示された前記締付トルクとは別領域の表示態様を、前記締付トルクに応じて、締付途中の作業者に知覚可能に変化させることを特徴とする工具システム用プログラム。
【発明の詳細な説明】
【技術分野】
【０００１】
本発明は、工具システム及びこれに用いられる工具システム用プログラムに関するものである。
【背景技術】
【０００２】
従来、トルクレンチ等の締付工具としては、締付トルクを測定する測定器と、この測定器により測定された締付トルクが表示されるディスプレイとを備えたものがある。このような締付工具を用いれば、作業者は締付トルクを確認しながら作業を進めることができる。
【０００３】
一方、引用文献１には、表示機器を締付工具とは別体にして、これらを配線接続することで、締付トルクが表示機器に表示される構成が記載されている。このような構成であれば、締付工具そのものを小型で軽量なものにすることができ、例えば狭小な作業空間でも使い勝手が良い。
【０００４】
しかしながら、上述したように表示機器を締付工具とは別体にすると、例えば締付トルクが所定の設定値に到達したか等を確認したい場合、作業者は作業中に視線を手元から表示機器に移さなければならないので、作業効率の低下を招く。
【先行技術文献】
【特許文献】
【０００５】
【特許文献１】特許第４２９６７６４号
【発明の概要】
【発明が解決しようとする課題】
【０００６】
そこで本願発明は、作業性の低下を招くことなく、締付工具の小型化や軽量化を図ることを課題とするものである。
【課題を解決するための手段】
【０００７】
すなわち、本願発明に係る工具システムは、締付工具と、当該締付工具とは別に設けられ、前記締付工具と有線又は無線により接続された表示機器とを備え、前記締付工具が、締付トルクを示すトルクデータを送信するデータ送信部を有し、前記表示機器が、前記データ送信部から送信されたトルクデータを受信するデータ受信部と、前記データ受信部が受信したトルクデータの示す締付トルクを画面に表示する表示制御部とを有し、前記表示制御部が、前記画面に表示された前記締付トルクとは別領域の表示態様を、前記締付トルクに応じて、締付途中の作業者に知覚可能に変化させることを特徴とするものである。
【０００８】
このように構成された工具システムによれば、表示機器を締付工具とは別体にしてあるので、締付工具の小型化や軽量化を図れるうえ、例えば画面の背景等といった締付トルクとは別領域の表示態様を、締付トルクに応じて、締付途中の作業者に知覚可能に変化させるので、該作業者は視線を表示機器に移すことなく、表示態様の変化を感じ取ることができる。
これにより、作業者は、締付途中に視線を手元から移すことなく、例えば締付トルクが予め設定された設定トルクに到達したこと等を知ることができるので、作業性の低下を招くことなく、締付工具の小型化や軽量化を図れる。
【０００９】
前記表示制御部が、前記画面の背景全体を変化させることが好ましい。
このような構成であれば、締付途中の作業者は、表示態様の変化をよりはっきりと感じ取ることができる。
【００１０】
前記表示制御部が、前記画面の背景色を変化させることが好ましい。
このような構成であれば、表示態様を多様に変化させることができるので、例えば締付トルクが設定トルクに到達したことのみならず、設定トルクよりもだいぶ低いことなど、締付途中の作業者に種々の情報を把握させることができる。
【００１１】
前記表示制御部が、前記別領域の表示態様を前記締付トルクに応じて段階的に変化させることが好ましい。
このような構成であれば、表示態様を連続的に変化させる構成に比べて、表示態様の変化を感じ取りやすい。
【００１２】
前記表示制御部が、前記締付トルクが予め設定された設定トルクを超えた場合に、前記画面に表示された前記締付トルクの色を反転させることが好ましい。
このような構成であれば、作業ミスの低減を図れる。
【００１３】
また、本発明に係る工具システム用プログラムは、締付工具とは別に設けられ、前記締付工具と有線又は無線により接続される表示機器に用いられるプログラムであって、前記締付工具から送信された締付トルクを示すトルクデータを受信するデータ受信部と、前記データ受信部が受信したトルクデータの示す締付トルクを画面に表示する表示制御部としての機能を前記表示機器に発揮させるものであり、前記表示制御部が、前記画面に表示された前記締付トルクとは別領域の表示態様を、前記締付トルクに応じて、締付途中の作業者に知覚可能に変化させることを特徴とするプログラムである。
このように構成された工具システム用プログラムであれば、上述した工具システムと同様の作用効果を奏し得る。
【発明の効果】
【００１４】
このように構成した本発明によれば、作業性の低下を招くことなく、締付工具の小型化や軽量化を図れる。
【図面の簡単な説明】
【００１５】
【図１】本実施形態における工具システムの構成を示す模式図。
【図２】同実施形態の表示機器の機能を説明するための機能ブロック図。
【図３】同実施形態の表示態様の一例を説明するための図。
【図４】同実施形態の表示態様の一例を説明するための図。
【図５】変形実施形態における表示態様の一例を説明するための図。
【発明を実施するための形態】
【００１６】
以下に本発明に係る工具システムの一実施形態について説明する。
【００１７】
本実施形態の工具システム１００は、自動車、鉄道車両、航空機やその他の種々の装置の組み立て、解体、点検等の作業現場において、ネジやボルト等を対象の装置等に取り付ける又は取り外すために用いられるものであり、図１に示すように、締付工具１０と、締付工具１０に有線又は無線により接続された表示機器２０とを備えている。
なお、この実施形態では、締付工具１０としてトルクレンチを用いた場合について説明するが、締付工具１０としてはドライバーやスパナ等の種々のものを用いて構わない。
【００１８】
締付工具１０は、ネジやボルト等の締付トルクを測定する測定器１１と、表示機器２０と通信する通信手段１２とを備えたものであり、この通信手段１２が測定器１１により測定された締付トルクを示すトルクデータを送信するデータ送信部１３としての機能を有している。
【００１９】
表示機器２０は、ＣＰＵ、メモリ、ディスプレイ（画面）Ｄ、入力手段などを有するものであり、ここでは締付工具１０と無線により通信可能な例えばスマートフォンやタブレット端末等といった、作業者が携帯可能なモバイル端末である。そして、この表示機器２０は、前記メモリに格納された工具システム用プログラムに基づいて、図２に示すように、設定データ受付部２１、データ受信部２２、表示制御部２３等としての機能を発揮するように構成されている。
以下、各部の説明を兼ねて、表示機器２０の動作を説明する。
【００２０】
設定データ受付部２１は、例えば作業者や管理者などのユーザなどが予め設定された設定トルクを示す設定データを受け付けるものである。
ここでの設定データ受付部２１は、表示機器２０に設けられた入力手段たるタッチパネルを介して入力された設定データを受け付けるように構成されているが、表示機器２０とは別の装置や端末から送信された設定データを受け付けても良い。
【００２１】
トルクデータ受信部２２は、上述したデータ送信部１３から送信されたトルクデータを受信して、表示制御部２３に出力する。
【００２２】
表示制御部２３は、ディスプレイＤの表示内容を制御するものであり、トルクデータ受信部２２が受信したトルクデータの示す締付トルクをディスプレイＤに表示する。
具体的にこの表示制御部２３は、図３に示すように、ディスプレイＤに予め設定された締付トルク表示領域Ｓ１に締付トルクをデジタル表示するものであり、ここではディスプレイＤの中央部に設定されたトルク表示領域Ｓ１に締付トルク及びその単位を表示する。
【００２３】
また、表示制御部２３は、設定データ受付部２１が受け付けた設定データの示す設定トルクを、ディスプレイＤに予め設定された設定トルク表示領域Ｓ２に表示する。ここでは、設定トルクが締付トルクよりも小さい文字サイズで表示され、この設定トルクの近傍に設定トルクを変更するためのスライダが表示される。
【００２４】
然して、表示制御部２３は、ディスプレイＤに表示された締付トルクとは別領域Ｓ３の表示態様を、締付トルクに応じて、締付途中の作業者に知覚可能に変化させるように構成されている。
なお、ここでいう知覚可能な変化とは、少なくとも視覚を通じて認識することのできる変化であり、表示機器２０が作業者の周辺に設けられている場合において、締付途中の作業者がディスプレイＤに視線を移すことなく、その変化を感じ取ることができる程度の変化である。
【００２５】
上述した別領域Ｓ３は、ディスプレイＤの表示領域全体における少なくとも半分以上であることが好ましく、ここではディスプレイＤの背景を別領域Ｓ３として設定してあり、その表示態様としては例えば色、模様、明るさ等が挙げられる。
【００２６】
表示制御部２３は、ここではディスプレイＤの背景色を締付トルクに応じて変更するように構成されており、具体的には背景色を締付トルクに応じて互いに異なる複数色に段階的に切り替える。
【００２７】
各表示態様である背景色は、それぞれに対して予め設定された数値範囲内に締付トルクが含まれていることを示しており、言い換えれば、各表示態様は互いに異なる作業状況を示している。なお、各背景色は、２色覚者が識別可能な色であることが好ましい。
【００２８】
表示態様の一例としては、例えば締付トルクが０である場合の第１の表示態様として黒色の背景色など、締付トルクが０より大きく所定の第１トルク以下である場合の第２の表示態様として灰色の背景色など、締付トルクが第１トルクよりは大きく所定の第２トルク以下である場合の第３の表示態様として黄色の背景色など、締付トルクが第２トルクより大きく設定トルク以下である場合の第４の表示態様として緑色の背景色などが挙げられる。
上記の場合、第１の背景色〜第４の表示態様は、それぞれ未作業状態、低トルク状態、中トルク状態、作業完了状態を示している。なお、切り替わる色の種類や数はこれに限らず、適宜変更して構わない。
【００２９】
本実施形態の表示制御部２３は、作業完了状態を示す第４の表示態様において、作業完了状態であることを示す完了記号Ｘを表示するように構成されている。
【００３０】
また、表示制御部２３は、締付トルクが設定トルクより大きい場合に、作業不合格状態を示す第５の表示態様に切り替えるように構成されている。
なお、第５の表示態様としては、図４に示すように、上記と同様に背景色を変更させる態様や、表示された締付トルクの文字色を反転させる態様や、作業不合格状態を示す警告記号Ｙを表示する態様や、それらを組み合わせた態様など、種々の態様が挙げられる。
【００３１】
このように構成された工具システム１００によれば、表示機器２０を締付工具１０とは別体にしてあるので、締付工具１０の小型化や軽量化を図れるうえ、ディスプレイＤの背景色を、締付トルクに応じて変化させるので、作業者は視線を表示機器２０に移すことなく、表示態様の変化を感じ取ることができる。
これにより、作業者は、表示態様の変化を感じ取ることで、締付トルクが徐々に増していることや、締付トルクが設定トルクに到達したこと等を締付途中に視線を手元から移すことなく知ることができ、作業性の低下を招くことなく、締付工具１０の小型化や軽量化を図れる。
【００３２】
また、背景表示全体の背景色を締付トルクに応じて段階的に変更させるので、作業者にとってその変化をより感じ取りやすいものとすることができる。
【００３３】
さらに、締付トルクが設定トルクより大きい場合に、作業不合格状態を示す第５の表示態様に切り替えるので、締付途中の作業者に作業が不合格状態にあることを感じ取らせることができ、作業ミスの低減を図れる。
【００３４】
なお、本発明は前記実施形態に限られるものではない。
【００３５】
例えば、前記実施形態では、締付トルクに応じて背景全体の色を変化させていたが、ディスプレイＤの表示領域における全体又は一部の明るさや模様を締付トルクに応じて変化させても良いし、色、明るさ、模様などを組み合わせた表示態様をトルクに応じて変化させても良い。
一例としては、表示領域の全体又は一部を点滅させるとともに、その点滅速度や点滅パターンを締付トルクに応じて変化させる方法が挙がれる。
【００３６】
また、表示制御部２３は、必ずしも背景全体を変化させる必要はなく、例えば図５に示すように、背景の一部の色を締付トルクに応じて変化させても良いし、表示態様が変化する領域を締付トルクに応じて拡大又は縮小するようにしても良い。
【００３７】
また、表示機器２０としては、例えばスピーカやバイブレータ等を備え、ディスプレイＤの表示態様のみならず音や振動などが締付トルクに応じて変化するように構成されていても良い。
【００３８】
前記実施形態では表示機器２０が設定トルクを受け付けていたが、表示機器２０としては必ずしも設定トルクを受け付ける必要はなく、この場合は設定データ受付部２１としての機能は不要であり、ディスプレイＤには必ずしも設定トルクや設定トルクのスライダを表示する必要もない。
【００３９】
さらに、表示機器２０としてはポータブル端末に限らず、例えば作業者が装着可能なゴーグル型のものであっても良い。この場合、作業者はディスプレイＤを介して手元を見るので、表示態様の変化をより感じ取り易くなる。
加えて、表示機器２０としては、プロジェクタを用いて構成されていても良く、この場合は例えば壁面やスクリーンなどが締付トルクを表示する画面である。
【００４０】
締付工具１０としては、トルクデータを送信するのみならず、例えば表示機器２０から設定データを受信するなど、表示機器２０との間で種々のデータを送受信するものであっても良い。
また、締付工具１０としては、例えば締付トルクを表示するディスプレイが設けられたものであっても構わない。
【００４１】
その他、本発明は前記実施形態に限られず、その趣旨を逸脱しない範囲で種々の変形が可能であるのは言うまでもない。
【符号の説明】
【００４２】
１００・・・工具システム
１０  ・・・締付工具
１１  ・・・測定器
１２  ・・・通信手段
１３  ・・・データ送信部
２０  ・・・表示機器
２１  ・・・設定データ受付部
２２  ・・・データ受信部
２３  ・・・表示制御部
Ｄ    ・・・ディスプレイ
Ｓ１  ・・・表示領域
Ｓ３  ・・・別領域
Ｘ    ・・・完了記号
Ｙ    ・・・警告記号
【図１】
2020049585.tif 000003
【図２】
2020049585.tif 000004
【図３】
2020049585.tif 000005
【図４】
2020049585.tif 000006
【図５】
2020049585.tif 000007